(57)【要約】【課題】マスメディアの媒体に掲載用の静止画像の候補をマスメディア側に多数提供する。【解決手段】画像譲渡システム１は、観戦者が使用するカメラによって撮像された撮像画像を受信する画像受信部１０と、撮像画像の表示部４０への表示を制御する表示制御部３０と、撮像画像の評価額の提示を受け付ける評価額受付部５０と、評価額に応じて撮像画像の譲渡の成否を決定する譲渡決定部６０とを備える。【選択図】図１
2013235325.tif 000002
【特許請求の範囲】
【請求項１】
観戦者が使用するカメラによって撮像された撮像画像を受信する画像受信部と、
前記撮像画像の表示部への表示を制御する表示制御部と、
前記撮像画像の評価額の提示を受け付ける評価額受付部と、
前記評価額に応じて前記撮像画像の譲渡の成否を決定する譲渡決定部と
を備えることを特徴とする画像譲渡システム。
【請求項２】
請求項１に記載の画像譲渡システムにおいて、
前記評価額受付部は、
前記撮像画像の譲受を希望する譲受希望人から前記評価額の提示を受け付け、
前記譲渡決定部は、
最高の前記評価額を提示した前記譲受希望人に対する譲渡の成立を決定する
ことを特徴とする画像譲渡システム。
【請求項３】
請求項２に記載の画像譲渡システムにおいて、
前記譲渡決定部は、
所定の期間内に前記評価額受付部が提示を受け付けた１以上の前記評価額のうち最も高い前記評価額を提示した前記譲受希望人を、前記最高の前記評価額を提示した前記譲受希望人とし、譲渡の成立を決定する
ことを特徴とする画像譲渡システム。
【請求項４】
請求項１に記載の画像譲渡システムにおいて、
前記評価額受付部は、
前記撮像画像の撮像者から前記評価額の提示を受け付け、
前記譲渡決定部は、
前記評価額に応じる意志を示した譲受希望人に対する譲渡を決定する
ことを特徴とする画像譲渡システム。
【請求項５】
請求項４に記載の画像譲渡システムにおいて、
前記譲渡決定部は、
前記評価額に応じる意志を示した最先の譲受希望人のみに対する譲渡を決定する
ことを特徴とする画像譲渡システム。
【請求項６】
請求項２乃至請求項５の何れか１項に記載の画像譲渡システムにおいて、
前記譲渡決定部は、
前記譲受希望人が前記評価額に応じた金額によって前記撮像画像を取得する旨を決定する
ことを特徴とする画像譲渡システム。
【請求項７】
請求項１乃至請求項６に記載の画像譲渡システムにおいて、
譲渡の成立が決定した前記撮像画像の譲渡人に特典を付与する特典付与部
を備えることを特徴とする画像譲渡システム。
【請求項８】
請求項７に記載の画像譲渡システムにおいて、
前記特典付与部は、
譲渡の成立が決定した前記撮像画像の前記評価額に応じた報酬を付与する
ことを特徴とする画像譲渡システム。
【請求項９】
請求項１乃至請求項８の何れか１項に記載の画像譲渡システムにおいて、
前記表示制御部は、
一定時間内に撮像された複数の前記撮像画像を前記表示部に並べて表示するよう制御する
ことを特徴とする画像譲渡システム。
【請求項１０】
請求項１乃至請求項９の何れか１項に記載の画像譲渡システムにおいて、
前記画像受信部は、
前記撮像画像の他に、更に、前記撮像画像の撮像位置情報を受信する
ことを特徴とする画像譲渡システム。
【請求項１１】
請求項１０に記載の画像譲渡システムにおいて、
前記表示制御部は、
前記撮像位置情報に基づいて、前記撮像画像をアングル別に並べて前記表示部に表示するよう制御する
ことを特徴とする画像譲渡システム。
【発明の詳細な説明】
【技術分野】
【０００１】
本発明は、画像譲渡システムに関するものである。
【背景技術】
【０００２】
従来、スポーツの静止画像を販売する画像提供システムが知られている（例えば、特許文献１参照）。特許文献１には、テレビのカメラマン（プロカメラマン）によって撮像された動画像から静止画像を生成し、該静止画像を記録媒体に記録して販売する画像提供システムが開示されている。
【先行技術文献】
【特許文献】
【０００３】
【特許文献１】特開２００３−０６１０４３号公報
【発明の概要】
【発明が解決しようとする課題】
【０００４】
しかしながら、従来の画像提供システムで、媒体（紙面、ウェブページ等）に掲載する静止画像をマスメディアに提供しようとする場合、テレビのカメラマンがよい動画像を撮像できなければ、マスメディア側に提供可能な静止画像を生成することができない。また、媒体に掲載する静止画像を撮像する本来のスチールカメラのプロカメラマンであっても、よい静止画像を撮像できない場合がある。上述のような場合、マスメディア側は、結果として十分に満足できる静止画像を媒体に掲載できないという問題がある。
本発明は、上記問題に鑑みてなされたものであり、マスメディアの媒体に掲載用の静止画像の候補をマスメディア側（スチールカメラのプロカメラマンを含む）に多数提供可能な技術を提供する。
【課題を解決するための手段】
【０００５】
上記問題を解決するために、本発明の一態様である画像譲渡システムは、観戦者が使用するカメラによって撮像された撮像画像を受信する画像受信部と、前記撮像画像の表示部への表示を制御する表示制御部と、前記撮像画像の評価額の提示を受け付ける評価額受付部と、前記評価額に応じて前記撮像画像の譲渡の成否を決定する譲渡決定部とを備えることを特徴とする。
【０００６】
上記画像譲渡システムにおいて、前記評価額受付部は、前記撮像画像の譲受を希望する譲受希望人から前記評価額の提示を受け付け、前記譲渡決定部は、最高の前記評価額を提示した前記譲受希望人に対する譲渡の成立を決定するようにしてもよい。
【０００７】
上記画像譲渡システムにおいて、前記譲渡決定部は、所定の期間内に前記評価額受付部が提示を受け付けた１以上の前記評価額のうち最も高い前記評価額を提示した前記譲受希望人を、前記最高の前記評価額を提示した前記譲受希望人とし、譲渡の成立を決定するようにしてもよい。
【０００８】
上記画像譲渡システムにおいて、前記評価額受付部は、前記撮像画像の撮像者から前記評価額の提示を受け付け、前記譲渡決定部は、前記評価額に応じる意志を示した譲受希望人に対する譲渡を決定するようにしてもよい。
【０００９】
上記画像譲渡システムにおいて、前記譲渡決定部は、前記評価額に応じる意志を示した最先の譲受希望人のみに対する譲渡を決定するようにしてもよい。
【００１０】
上記画像譲渡システムにおいて、前記譲渡決定部は、前記譲受希望人が前記評価額に応じた金額によって前記撮像画像を取得する旨を決定するようにしてもよい。
【００１１】
上記画像譲渡システムにおいて、譲渡の成立が決定した前記撮像画像の譲渡人に特典を付与する特典付与部を備えるようにしてもよい。
【００１２】
上記画像譲渡システムにおいて、前記特典付与部は、譲渡の成立が決定した前記撮像画像の前記評価額に応じた報酬を付与するようにしてもよい。
【００１３】
上記画像譲渡システムにおいて、前記表示制御部は、一定時間内に撮像された複数の前記撮像画像を前記表示部に並べて表示するよう制御するようにしてもよい。
【００１４】
上記画像譲渡システムにおいて、前記画像受信部は、前記撮像画像の他に、更に、前記撮像画像の撮像位置情報を受信するようにしてもよい。
【００１５】
上記画像譲渡システムにおいて、前記表示制御部は、前記撮像位置情報に基づいて、前記撮像画像をアングル別に並べて前記表示部に表示するよう制御するようにしてもよい。
【発明の効果】
【００１６】
本発明によれば、マスメディア側は、多数の観戦者によって撮像された多数の静止画像のなかから媒体に掲載に最適な静止画像を見つけることができる。また、観戦者は、カメラマンとして試合に参加できるなど新たな楽しみを得ることができる。また、主催者サイド（例えば、チーム、球場）は、上記新たな楽しみの提供によって集客を伸ばすことができる。
【図面の簡単な説明】
【００１７】
【図１】第１の実施形態による画像譲渡システム１の機能ブロック図の一例である。
【図２】画像記憶部９０に記憶される情報の一例である。
【図３】表示部４０の表示例である。
【図４】表示部４０の表示例である。
【図５】譲渡情報記憶部９２に記憶される情報の一例である。
【図６】画像譲渡システム１の動作の一例を示すフローチャートである。
【図７】画像譲渡システム１の動作の一例を示すフローチャートである。
【図８】第２の実施形態による画像譲渡システム２の機能ブロック図の一例である。
【図９】画像記憶部１９０に記憶される情報の一例である。
【図１０】表示部１４０に表示される情報の一例である。
【図１１】表示部１４０の表示例である。
【図１２】譲渡情報記憶部１９２に記憶される情報の一例である。
【図１３】画像譲渡システム２の動作の一例を示すフローチャートである。
【図１４】競技場Ｓに適用した画像譲渡システム１の概念図である。
【発明を実施するための形態】
【００１８】
［概要］
以下、図面を参照しながら、本発明の第１の実施形態、及び、第２の実施形態について説明する。第１の実施形態による撮像画像譲渡システム１は、撮像画像の評価額を譲受人（例えば、メディア各社の関係者）が指定し、最高の評価額を指定した１人の譲受人に撮像画像を提供する画像譲渡システムである。第２の実施形態によるによる撮像画像譲渡システム２は、撮像画像の評価額を撮像者が指定し、指定された評価額に応じた１人以上の譲受人（例えば、メディア各社の関係者）に撮像画像を提供する画像譲渡システムである。画像譲渡システム１（画像譲渡システム２も同様）は、１又は２以上の電子機器から構成されたシステムである。
【００１９】
［第１の実施形態］
図１は、第１の実施形態による画像譲渡システム１の機能ブロック図の一例である。図２は、画像記憶部９０に記憶される情報の一例である。図３、図４は、表示部４０の表示例である。
【００２０】
画像譲渡システム１は、図１に示すように、画像受信部１０、抽出部２０、表示制御部３０、表示部４０、評価額受付部５０、譲渡決定部６０、画像提供部７０、画像記憶部９０、及び、譲渡情報記憶部９２を備える。また、画像譲渡システム１は、破線にて示したように特典付与部８０を更に備えていてもよい。なお、画像譲渡システム１の少なくとも一部（例えば、画像受信部１０、表示部４０、特典付与部８０）は、スポーツ等の開催場所（例えば、サッカー場、野球場、陸上競技場、体育館（大相撲開催時を含む）、スケート場、スキー場（ジャンプ台、ハーフパイプを含む）、競馬場、サーキット、…）に設置してもよい。
【００２１】
画像受信部１０は、観戦者が使用するカメラによって撮像された撮像画像を受信する。例えば、あるサッカー場にてあるサッカーの試合を観戦している観戦者Ａが使用する通信機能付カメラ（Ａ自身が持参した通信機能付カメラ、又は、サッカー場にて貸与された通信機能付カメラ）によって撮像されたゴールシーンの撮像画像であって当該通信機能付カメラから送信された撮像画像を受信する。画像受信部１０は、各カメラから受信した撮像画像を画像記憶部９０に記憶する。
【００２２】
なお、撮像画像の受信方法及び記憶方法は限定しない。例えば、ファイル受信機能（画像受信部１０に相当）を有するサーバ内の画像格納領域（画像記憶部９０に相当）のＵＲＩを各カメラに予め通知しておき、各カメラに当該ＵＲＩ宛に撮像画像をアップロードさせて、各カメラから撮像画像を受信し、受信した撮像画像を画像格納領域に記憶してもよい。また例えば、メール受信機能（画像受信部１０に相当）とメール処理機能と画像格納領域（画像記憶部９０に相当）とを有するサーバのメールアドレスを各カメラに予め通知しておき、各カメラに当該メールアドレス宛に撮像画像を添付したメールを送信させて、各カメラから撮像画像を添付したメールを受信し、受信したメールから撮像画像を抽出し、抽出した撮像画像を画像格納領域に記憶してもよい。また例えば、画像格納領域（画像記憶部９０に相当）を有するサーバと通信可能な端末であって、各カメラとのアドホック通信機能（画像受信部１０に相当）を有する端末を開催場所に複数設置しておき、各カメラに何れかの端末宛に撮像画像を送信させて、各カメラから撮像画像を受信し、受信した撮像画像を画像格納領域に記憶してもよい。
【００２３】
画像受信部１０は、撮像画像に加えて撮像画像以外の情報を受信する。例えば、画像受信部１０は、撮像画像以外の情報として、撮像者（又はカメラ）を識別する撮像者ＩＤ（又はカメラＩＤ。以下、同様）を各カメラから受信する。なお、各カメラは、内部に撮像者ＩＤを保持しておき、撮像画像とともに撮像者ＩＤを送信してもよい。また、各カメラは、撮像画像の送信時に、撮像者が撮像者ＩＤを入力し、撮像画像とともに送信してもよい。
【００２４】
また例えば、画像受信部１０は、撮像画像以外の情報として、撮像位置情報を各カメラから受信してもよい。例えば、画像受信部１０は、ＧＰＳ機能を有するカメラから撮像位置情報として緯度経度情報を受信してもよい。
【００２５】
また、画像受信部１０は、撮像位置情報として、スポーツの開催場所の夫々について予め複数のエリアに区分した各エリアを識別するエリアＩＤを受信してもよい。エリアとは、例えばサッカー場の場合、ホーム（アウェイ）側のゴール裏の応援席、ホーム（アウェイ）側の右コーナー付近の応援席等々、野球場の場合、一塁側（三塁側）側の内野席、ライト（レフト）側の外野席等々である。
【００２６】
なお、各カメラは、撮像画像とともにエリアＩＤを送信してもよい。なお、各カメラはエリアＩＤを保持していてもよいし、撮像画像の送信時に撮像者の入力によって得てもよいし、撮像画像の送信時に外部（例えば、開催場所に設置された電子機器）から受信して得てもよい。また、ＧＰＳ機能を有し、かつ、内部に緯度経度情報−エリアＩＤ対応テーブルを保持する各カメラは、ＧＰＳ機能によって得られた緯度経度情報からエリアＩＤを得てもよい。緯度経度情報−エリアＩＤ対応テーブルは、外部（例えば、開催場所に設置された電子機器）から受信してもよい。
【００２７】
なお、画像受信部１０は、撮像画像に対応付けて撮像画像以外の情報（撮像者ＩＤ、撮像位置情報）を受信してもよいし、撮像画像のメタ情報として、撮像画像以外の情報を受信してもよい。
【００２８】
画像記憶部９０は、上述の如く、画像受信部１０が受信した撮像画像を記憶する。例えば、画像受信部１０が、撮像者ＩＤと撮像画像を受信する場合、画像記憶部９０は、図２（ａ）に示すように、撮像日時と撮像者ＩＤと画像ＩＤと撮像画像とを対応付けて記憶する。また例えば、画像受信部１０が、撮像者ＩＤと撮像位置情報と撮像画像を受信する場合、画像記憶部９０は、図２（ｂ）に示すように、撮像日時と撮像者ＩＤと画像ＩＤと撮像位置情報と撮像画像とを対応付けて記憶する。
【００２９】
なお、図２（ａ）（ｂ）において、画像ＩＤは、例えば、撮像画像のファイル名である。また、撮像日時は、撮像画像のメタデータから得てもよい。また、撮像日時に代えて、所定の時間内（例えば、２０１２年２月１２日１９時１０分１５秒〜同２４秒の１０秒間）を同一のシーンとしシーン毎に採番したシーンＩＤを記憶してもよい。
【００３０】
抽出部２０は、画像記憶部９０から撮像画像を抽出する。例えば、抽出部２０は、同一シーンを撮像した撮像画像を纏めて抽出する。即ち、画像記憶部９０に撮像日時が記憶されている場合には、抽出部２０は、所定の時間内に撮像された撮像画像を纏めて抽出し、画像記憶部９０にシーンＩＤが記憶されている場合には、抽出部２０は、同一のシーンＩＤの撮像画像を纏めて抽出する。なお、抽出部２０は、あるシーンの終了後直ちに、当該シーンの撮像画像を抽出してもよいし、試合等の終了後に、順次、シーン毎に撮像画像を抽出してもよい。
【００３１】
抽出部２０は、画像記憶部９０から抽出した撮像画像を他の情報とともに表示制御部３０、譲渡決定部６０に出力する。
例えば、図２（ａ）に示すように、画像記憶部９０に撮像日時と撮像者ＩＤと画像ＩＤと撮像画像とが対応付けて記憶されている場合、抽出部２０は、撮像画像、画像ＩＤを表示制御部３０に出力し、撮像画像、撮像者ＩＤ、画像ＩＤを譲渡決定部６０に出力する。
【００３２】
つまり、抽出部２０は、撮像日時（又はシーンＩＤ）をキーとして、撮像日時（又はシーンＩＤ）、撮像者ＩＤ、画像ＩＤ、撮像画像の組（図２（ａ）の行）を抽出し、画像ＩＤ、撮像画像を表示制御部３０に出力し、撮像者ＩＤ、画像ＩＤ、撮像画像を譲渡決定部６０に出力する。なお、抽出部２０は、更に撮像日時を表示制御部３０に出力してもよい。
【００３３】
なお、図２（ｂ）に示すように、画像記憶部９０に撮像日時と撮像者ＩＤと画像ＩＤと撮像位置情報（エリアＩＤ又は緯度経度情報）と撮像画像とが対応付けて記憶されている場合、抽出部２０は、撮像画像、画像ＩＤ、撮像位置情報を表示制御部３０に出力し、撮像画像、撮像者ＩＤ、画像ＩＤを譲渡決定部６０に出力する。
【００３４】
つまり、抽出部２０は、撮像日時（又はシーンＩＤ）をキーとして、撮像日時（又はシーンＩＤ）、撮像者ＩＤ、画像ＩＤ、撮像位置情報、撮像画像の組（図２（ｂ）の行）を抽出し、画像ＩＤ、撮像位置情報、撮像画像を表示制御部３０に出力し、撮像者ＩＤ、画像ＩＤ、撮像画像を譲渡決定部６０に出力する。なお、抽出部２０は、更に撮像日時を表示制御部３０に出力してもよい。
【００３５】
表示制御部３０は、撮像画像の表示部４０への表示を制御する。例えば、表示制御部３０は、一定時間内に撮像された複数の撮像画像を表示部４０に並べて表示するよう制御する。即ち、表示制御部３０は、同一シーンを撮像した撮像画像を抽出部２０から纏めて取得するが、纏めて取得した撮像画像を表示部４０に並べて表示するよう制御する。
【００３６】
例えば、表示制御部３０は、図３に示すように、抽出部２０から取得した撮像画像を表示部４０に並べて表示するよう制御する。また、表示制御部３０は、撮像位置情報を抽出部２０から取得した場合には、図４に示すように、アングル別に並べて表示部４０に表示するよう制御してもよい。また、表示制御部３０は、抽出部２０から撮像日時を取得した場合には、撮像日時順（又は、アングル別の撮像日時順）に表示するように制御してもよい（図３、図４参照）。なお、表示制御部３０は、表示部４０への表示に際し、表示部４０の各表示位置と、各表示位置に表示した撮像画像の画像ＩＤとの対応関係を記憶する。
【００３７】
また、表示制御部３０は、ある撮像画像について評価額（後述）を譲渡決定部６０から取得する。ある撮像画像について評価額（後述）を取得した表示制御部３０は、当該評価額を表示するように制御する。例えば、評価額を取得した撮像画像の上部（図３、図４の点線枠内）又は下部（図３、図４の一点鎖線枠内）の何れか一方に評価額を表示するように制御する。また、表示制御部３０は、ある撮像画像について譲受希望人名を譲渡決定部６０から取得した場合についても同様に、当該譲受希望人名を表示するように制御する。
【００３８】
なお、図３、図４（図１０、図１１も同様）は、抽出部２０から纏めて取得した撮像画像（一定時間内に撮像された複数の撮像画像）を１画面に表示した例であるが、表示制御部３０は、抽出部２０から纏めて取得した撮像画像の数が多く、１画面に全て表示したならば個々の撮像画像が見難くなるときは、複数画面に分割して表示するよう制御してもよい。例えば、１画面に最大表示枚数を予め設定しておき、表示制御部３０は、抽出部２０から纏めて取得した撮像画像の枚数が最大表示枚数以下の場合には全てを１画面に表示し、最大表示枚数超の場合には２画面以上に分けて表示するよう制御してもよい。
【００３９】
評価額受付部５０は、表示部４０に表示された撮像画像の評価額の提示を受け付ける。具体的には、評価額受付部５０は、撮像画像の譲受を希望する譲受希望人（例えば、メディア各社の関係者）の使用する端末から、端末ＩＤ（又は、譲受希望人ＩＤ。以下、同様）、所望の撮像画像の画像ＩＤ、評価額を受信する。評価額受付部５０は、譲受希望人の端末から受信した情報を譲渡決定部６０に出力する。端末ＩＤは、譲受希望人の端末を識別するための識別情報である。譲受希望人ＩＤは、譲受希望人を識別するための識別情報である。なお、評価額受付部５０は、各撮像画像について、現時点の最高の評価額を超える評価額のみを受け付けるようにしてもよい。
【００４０】
第１の実施形態において、撮像画像の評価額とは、当該撮像画像（又は、当該撮像画像を使用する権利）の譲受に際し譲受人が望む金額（支払可能な金額）である。なお、第１の実施形態では、撮像画像が譲渡人（撮像者）から譲受人に譲渡された場合、譲受人は自己の提示した評価額を支払うが、譲渡人は当該評価額（若しくは当該評価額に応じた金額）を取得するとは限らない。具体的には、画像譲渡システム１が特典付与部８０を備えない場合、譲渡人は当該評価額（若しくは当該評価額に応じた金額）を取得しない。
【００４１】
また、譲渡決定部６０は、撮像画像の評価額、及び、端末ＩＤを評価額受付部５０から取得する。なお、評価額受付部５０が現時点の最高の評価額を超える評価額のみを受け付ける場合には、譲渡決定部６０は、撮像画像の最高の評価額、及び、端末ＩＤを取得する。
【００４２】
譲渡決定部６０は、最高の評価額及び端末ＩＤを取得する都度、当該最高の評価額を表示制御部３０に出力する。これにより、各撮像画像の最高の評価額を表示部４０にてリアルタイムに確認することができる。
【００４３】
また、譲渡決定部６０は、最高の評価額及び端末ＩＤを取得する都度、当該最高の評価額を提示した譲受希望人名を表示制御部３０に出力してもよい。譲受希望人名を出力すれば、各撮像画像の最高の評価額を提示した譲受希望人名を表示部４０にてリアルタイムに確認することができる。なお、譲渡決定部６０は、端末ＩＤと譲受希望人名の対応テーブルを参照し、評価額受付部５０から受信した端末ＩＤから譲受希望人名を得る。
【００４４】
譲渡決定部６０は、評価額に応じて撮像画像の譲渡の成否を決定する。具体的には、譲渡決定部６０は、所定のオークション期間において、最高の評価額を提示した譲受希望人に対する譲渡の成立を決定する。例えば、譲渡人（撮像者）Ａの撮像した撮像画像に対し、所定のオークション期間に、譲受希望人Ｂ、Ｃ、Ｄが評価額を提示し、譲受希望人Ｂの提示した評価額が１８００円、譲受希望人Ｃの提示した評価額が２６００円と３８００円、譲受希望人Ｄの提示した評価額が２７００円であった場合、譲渡決定部６０は、当該撮像画像について譲渡人Ａから最高の評価額３８００円を提示した譲受希望人Ｃへの譲渡の成立を決定する。
【００４５】
より詳細には、譲渡決定部６０は、最高の評価額を提示した譲受希望人が当該最高の評価額に応じた金額によって撮像画像を取得する旨を決定する。例えば、上述の例の場合、譲渡決定部６０は、最高の評価額３８００円を提示した譲受希望人Ｃが当該評価額３８００円に応じた金額（例えば、評価額３８００円、若しくは、評価額３８００円に諸費用等を上乗せした金額）を主催者サイドに支払うことを条件に、当該撮像画像について譲渡人Ａから譲受希望人Ｃへの譲渡の成立を決定する。
【００４６】
なお、譲渡決定部６０は、上述の如く、所定のオークション期間内に評価額受付部５０が提示を受け付けた１以上の評価額のうち最も高い評価額を提示した譲受希望人を、最高の評価額を提示した譲受希望人とし、譲渡の成立を決定するが、評価額受付部５０による評価額の受付を所定のオークション期間内に限定し、譲渡決定部６０は、評価額受付部５０が受け付けた評価額の中から最高の評価額を選択し、当該最高の評価額を提示した譲受希望人に対して譲渡の成立を決定してもよい。また、評価額受付部５０による評価額の受付期間を設定せずに、譲渡決定部６０は、評価額受付部５０が所定期間内に受け付けた評価額の中から最高の評価額を選択し、当該最高の評価額を提示した譲受希望人に対して譲渡の成立を決定してもよい。
【００４７】
譲渡決定部６０は、撮像画像の譲渡に関する情報（譲渡情報）を譲渡情報記憶部９２に記憶する。例えば、譲渡決定部６０は、所定のオークション期間の終了後、譲渡情報を譲渡情報記憶部９２に記憶する。
【００４８】
譲渡情報記憶部９２は、譲渡情報を記憶する。具体的には、譲渡情報記憶部９２は、図５（ａ）に示すように、譲渡情報として、撮像者ＩＤ、画像ＩＤ、端末ＩＤ（又は、譲受人ＩＤ）、最高の評価額、撮像画像を対応付けて記憶する。なお、譲受人ＩＤは、譲受人（最高の評価額を入力した譲受希望人）を識別するための識別情報である。
【００４９】
画像提供部７０は、ある撮像画像の譲受人に対し、当該撮像画像を提供（送信）する。例えば、譲渡情報記憶部９２が、図５（ａ）に示した譲渡情報を記憶している場合に、画像提供部７０は、譲受人ＩＤ「Ｙ０３６」によって識別される譲受人から画像ＩＤ「Ｇ０００１」によって識別される撮像画像に係る最高の評価額「３８００」円（若しくは、評価額３８００円に諸費用等を上乗せした金額）を受領した旨（入金）の通知を外部のシステム（例えば、入金を管理するシステム）から受信した場合、譲渡情報記憶部９２から当該撮像画像を読み出して当該譲受人に送信する（若しくは、当該譲受人による当該撮像画像をダウンロードするための譲渡情報記憶部９２へアクセスを許可する）。
【００５０】
（特典付与部８０を備える場合）
特典付与部８０は、譲渡の成立が決定した撮像画像の譲渡人に特典（報酬）を付与する。例えば、特典付与部８０は、譲渡の成立が決定した撮像画像の譲渡人に対し、当該撮像画像の評価額（若しくは、評価額から諸費用等を控除した金額）に応じた特典（例えば、電子マネー、ポイント、割引クーポン、無料クーポン）を付与する。なお、クーポンは、当該開催場所に関係するもの（例えば、入場割引券、入場優待券）が好適である。
【００５１】
なお、特典付与の時間的条件は、譲受人による入金の確認後（即ち、譲受人に撮像画像の提供後）が一般安全であるが、譲受人の身元は明らかであるため、譲受人による入金の確認前（即ち、譲受人に撮像画像の提供前）であってもよい。
【００５２】
なお、譲受人による入金の確認後に特典を付与する態様の場合、譲渡情報記憶部９２には、譲渡情報として、図５（ｂ）に示すように、撮像者ＩＤ、画像ＩＤ、端末ＩＤ（又は、譲受人ＩＤ）、最高の評価額、撮像画像、入金済フラグ（又は、画像送信済フラグ）を対応付けて記憶しておき、画像提供部７０は、当該端末ＩＤ（又は、当該譲受人ＩＤ）を含む入金通知を外部のシステムから受信した場合に入金済フラグの値をオフ（未入金）からオン（入金済）に変更するか、当該端末ＩＤの端末に対して当該撮像画像を提供した場合に画像送信済フラグの値をオフ（未送信）からオン（送信済）に変更するようにする。これにより、特典付与部８０は、画像送信済フラグ（又は入金済フラグ）の値がオン（送信済又は入金済）である撮像画像の譲渡人に特典を付与することが可能になる。
【００５３】
また、譲受人による入金の確認後に特典を付与する態様の場合において、撮像者への特典の２重付与を防止するため、特典付与部８０は、特典の付与後に、譲渡情報記憶部９２の該当する譲渡情報（該当する行）を削除してもよい。例えば、特典付与部８０は、図５（ｂ）において、画像ＩＤ「Ｇ０００１」の撮像画像の撮像者（撮像者ＩＤ「Ｘ０１０１」）に特典を付与した場合、画像ＩＤ「Ｇ０００１」の行を削除してもよい。
【００５４】
また、譲受人による入金の確認前であっても特典を付与する態様の場合において、撮像者への特典の２重付与を防止するため、譲渡情報記憶部９２には、譲渡情報として、図５（ｃ）に示すように、撮像者ＩＤ、画像ＩＤ、端末ＩＤ（又は、譲受人ＩＤ）、最高の評価額、撮像画像、画像送信済フラグ（又は入金済フラグ）、特典付与済フラグを対応付けて記憶しておく。そして、特典付与部８０は、特典の付与後に、当該撮像画像の特典付与済フラグの値をオフ（未付与）からオン（付与済）に変更するとともに、当該撮像画像の画像送信済フラグ（又は入金済フラグ）の値がオン（送信済又は入金済）であるときは、当該行を削除してもよい。また、画像提供部７０は、ある撮像画像の譲受人に対し、当該撮像画像を提供（送信）した場合に、当該撮像画像の画像送信済フラグ（又は入金済フラグ）の値をオフ（未送信又は未入金）からオン（送信済又は入金済）に変更するとともに、当該撮像画像の特典付与済フラグの値がオン（付与済）であるときは、当該行を削除してもよい。
【００５５】
（特典付与部８０を備えない場合）
画像譲渡システム１が特典付与部８０を備えない場合には、譲渡決定部６０は、ある撮像画像に最高の評価額を提示した譲受希望人に対し、当該最高の評価額の主催者サイドへの支払いに加え、当該撮像画像の譲渡人（撮像者）の氏名（又はニックネーム）を媒体上に掲載することを条件に、当該撮像画像について譲渡人から譲受希望人への譲渡の成立を決定するようにしてもよい。なお、撮像画像の譲渡人は評価額（若しくは評価額に応じた金額）を取得するとは限らないと説明したが、金品的なインセンティブだけでなく、名誉的なインセンティブも撮像の動機付けになるため有効である。
【００５６】
図６及び図７は、画像譲渡システム１の動作の一例を示すフローチャートである。具体的には、図６のフローチャートは、試合等の終了後に、順次、シーン毎に撮像画像を抽出する態様における、像画像の取得から譲渡情報の記憶迄の処理の流れを表している。また、図７のフローチャートは、譲受人による入金の確認前であっても特典を付与する態様における、ある撮像画像に最高の評価額を提示した譲受人への当該撮像画像の提供、当該撮像画像の撮像者である譲渡人への特典の付与の流れを表している。
【００５７】
図６において、画像受信部１０は、撮像画像等を受信し（ステップＳ１０）、画像記憶部９０に記憶する（ステップＳ１２）。画像譲渡システム１は、試合等が終了したか否かを判断する（ステップＳ１４）。例えば、画像譲渡システム１は、入力受付部（非図示）を備え、入力受付部（非図示）は、係員による所定の入力（試合等が終了した旨を示す入力）を受け付けた場合に、試合等が終了したと判断する。試合等が終了していない場合（ステップＳ１４：Ｎｏ）、ステップＳ１０に戻る。
【００５８】
試合等が終了した場合（ステップＳ１４：Ｙｅｓ）、抽出部２０は、画像記憶部９０に記憶されている撮像画像の中から、あるシーンに撮像画像を抽出する（ステップＳ１６）。例えば、ステップＳ１２において画像記憶部９０に撮像日時を記憶した場合には、抽出部２０は、所定の時間内に撮像された撮像画像を纏めて抽出する。また、ステップＳ１２において撮像記憶部９０にシーンＩＤを記憶した場合には、抽出部２０は、あるシーンＩＤの撮像画像を纏めて抽出する。
【００５９】
表示制御部３０は、抽出部２０が纏めて抽出したあるシーンの撮像画像を表示部４０に並べて表示するよう制御する（ステップＳ１８）。評価額受付部５０は、表示部４０に表示されたあるシーンの撮像画像の最高の評価額を受信したか否かを判断する（ステップＳ２０）。
【００６０】
ある撮像画像の最高の評価額を受信した場合（ステップＳ２０：Ｙｅｓ）、評価額受付部５０は、当該撮像画像の最高の評価額等を譲渡決定部６０に出力する。当該撮像画像の最高の評価額等を取得した譲渡決定部６０は、当該撮像画像に関する譲渡情報を譲渡情報記憶部９２に記憶し（ステップＳ２２）、当該撮像画像の最高の評価額（又は、当該最高の評価額と譲受希望人名）を表示制御部３０に出力する。なお、譲渡決定部６０は、既に当該撮像画像に関する譲渡情報が譲渡情報記憶部９２に記憶されている場合には更新する（ステップＳ２２）。当該撮像画像の最高の評価額（又は、当該最高の評価額と譲受希望人名）を取得した表示制御部３０は、当該撮像画像について提示された当該最高の評価額（又は、当該最高の評価額と譲受希望人名）を表示するように制御する（ステップＳ２４）。
【００６１】
ある撮像画像の最高の評価額の受信していない場合（ステップＳ２０：Ｎｏ）、ステップＳ２２、Ｓ２４を飛ばしてＳ２６に進む。
【００６２】
ステップＳ２４又はステップＳ２０（Ｎｏ）に続いて、譲渡決定部６０は、所定のオークション期間が終了したか否かを判断する（ステップＳ２６）。所定のオークション期間が終了していない場合（ステップＳ２６：Ｎｏ）、ステップＳ２０に戻る。
【００６３】
一方、所定のオークション期間が終了した場合（ステップＳ２６：Ｙｅｓ）、抽出部２０は、画像記憶部９０から全シーンの撮像画像、即ち、全部の撮像画像を抽出したか否かを判断する（ステップＳ２８）。全シーンの撮像画像を抽出していない場合（ステップＳ２８：Ｎｏ）、ステップＳ１６に戻る。即ち、ステップＳ１６において別のシーンに撮像画像を抽出してステップＳ１８以降を実行する。全シーンの撮像画像を抽出した場合（ステップＳ２８：Ｙｅｓ）、図６のフローチャートは終了する。
【００６４】
なお、図６のフローチャートの終了後には、ステップＳ１０において受信した撮像画像のうち評価額一回以上提示された撮像画像に関する譲渡情報が譲渡情報記憶部９２に記憶されている。以下、撮像画像Ｇに関する譲渡情報が譲渡情報記憶部９２に記憶されているものとして図７のフローチャートを説明する。
【００６５】
図７において、画像提供部７０は、撮像画像Ｇの譲受人Ｙから入金があったか否かを判断する（ステップＳ４０）。例えば、画像提供部７０は、撮像画像Ｇの最高の評価額Ｐに応じた金額の入金の通知を外部のシステムから受信した場合に譲受人Ｙから入金があったと判断する。入金があった場合（ステップＳ４０：Ｙｅｓ）、画像提供部７０は、撮像画像Ｇを譲渡情報記憶部９２から読み出して譲受人Ｙに送信する（ステップＳ４２）。ステップＳ４２に続いて、画像提供部７０は、撮像画像Ｇの画像送信済フラグの値をオフからオンに変更する（ステップＳ４４）。一方、入金がなかった場合（ステップＳ４０：Ｎｏ）、ステップＳ４２、Ｓ４４は飛ばしてステップＳ４６に進む。
【００６６】
ステップＳ４４又はステップＳ４０（Ｎｏ）に続いて、特典付与部８０は、撮像画像Ｇの撮像者Ｘから特典の付与を要求されたか否かを判断する（ステップＳ４６）。例えば、特典付与部８０は、撮像者Ｘの撮像者ＩＤを含む特典付与要求を受信した場合に、撮像者Ｘから特典の付与を要求されたと判断する。撮像者Ｘから特典の付与を要求された場合（ステップＳ４６：Ｙｅｓ）、特典付与部８０は、撮像者Ｘに対し、撮像画像Ｇの最高の評価額Ｐに応じた特典を付与する（ステップＳ４８）。ステップＳ４８に続いて、特典付与部８０は、撮像画像Ｇの特典付与済フラグの値をオフからオンに変更する（ステップＳ５０）。一方、撮像者Ｘから特典の付与を要求されなかった場合（ステップＳ４６：Ｎｏ）、ステップＳ４８、Ｓ５０は飛ばしてステップＳ５２に進む。
【００６７】
ステップＳ５０又はステップＳ４６（Ｎｏ）に続いて、特典付与部８０は、撮像画像Ｇの画像送信済フラグの値、及び、特典付与済フラグの値が、何れもオフであるか否かを判断する（ステップＳ５２）。即ち、特典付与部８０は、撮像画像Ｇの譲受人Ｙによる入金、撮像画像Ｇの撮像者Ｘへの特典の付与の両方が完了していないか否かを判断する。
【００６８】
ステップＳ５２において、何れもオフである場合（ステップＳ５２：Ｙｅｓ）、即ち、撮像画像Ｇの譲受人Ｙによる入金、撮像画像Ｇの撮像者Ｘへの特典の付与の両方が完了していない場合、ステップＳ４０に戻る。
ステップＳ５２において、少なくとも一方がオンである場合（ステップＳ５２：Ｎｏ）、特典付与部８０は、撮像画像Ｇの画像送信済フラグの値、及び、特典付与済フラグの値が、何れもオンであるか否かを判断する（ステップＳ５４）。即ち、特典付与部８０は、撮像画像Ｇの譲受人Ｙによる入金、撮像画像Ｇの撮像者Ｘへの特典の付与の両方が完了したか否かを判断する。
【００６９】
ステップＳ５４において、少なくとも一方がオフである場合（ステップＳ５４：Ｎｏ）、即ち、撮像画像Ｇの譲受人Ｙによる入金か撮像画像Ｇの撮像者Ｘへの特典の付与のどちらか一方が完了し、他の一方が完了していない場合、特典付与部８０は、撮像画像Ｇの画像送信済フラグの値がオフであるか否かを判断する（ステップＳ５６）。
【００７０】
ステップＳ５６において、画像送信済フラグの値がオフである場合（ステップＳ５６：Ｙｅｓ）、画像提供部７０は、ステップＳ４０と同様、撮像画像Ｇの譲受人Ｙから入金があったか否かを判断し（ステップＳ６０）、入金があった場合（ステップＳ６０：Ｙｅｓ）、画像提供部７０は、ステップＳ４２と同様、撮像画像Ｇを譲渡情報記憶部９２から読み出して譲受人Ｙに送信し（ステップＳ６２）、ステップＳ４４と同様、撮像画像Ｇの画像送信済フラグの値をオフからオンに変更する（ステップＳ６４）。一方、入金がなかった場合（ステップＳ６０：Ｎｏ）、ステップＳ６２、Ｓ６４は飛ばしてステップＳ５４に戻る。
【００７１】
ステップＳ５６において、画像送信済フラグの値がオフでない場合（ステップＳ５６：Ｎｏ）、換言すれば、特典付与済フラグの値がオフである場合、特典付与部８０は、ステップＳ４６と同様、撮像画像Ｇの撮像者Ｘから特典の付与を要求されたか否かを判断し（ステップＳ６６）、特典の付与を要求された場合（ステップＳ６６：Ｙｅｓ）、特典付与部８０は、ステップＳ４８と同様、撮像者Ｘに対し、撮像画像Ｇの最高の評価額Ｐに応じた特典を付与し（ステップＳ６８）、ステップＳ５０と同様、撮像画像Ｇの特典付与済フラグの値をオフからオンに変更する（ステップＳ７０）。一方、特典の付与を要求されなかった場合（ステップＳ６６：Ｎｏ）、ステップＳ６８、Ｓ７０は飛ばしてステップＳ５４に進む。
【００７２】
ステップＳ５４において、何れもオンである場合（ステップＳ５４：Ｙｅｓ）、撮像画像Ｇに関する譲渡情報を譲渡情報記憶部９２から削除し（ステップＳ７２）、図８のフローチャートは終了する。
【００７３】
なお、図７のフローチャートは、ステップＳ４６、ステップＳ６６に示したように、撮像者からの明示的な要求に応じて特典を付与する態様を表したものであるが、撮像者からの明示的な要求によらずに特典を付与してもよい（フローチャートは省略）。なお、特典付与機能（特典付与部８０に相当）を有するサーバから特典（例えば、評価額相当の電子マネー、クーポン）をダウンロードさせる場合、撮像者による上記サーバへのアクセスが、特典付与の要求の具体例である。また、特典付与機能（特典付与部８０に相当）を有するサーバにおいて、バッチ処理にて、撮像者毎の特典記憶領域の情報を更新（値の加算、アイテムの追加）する態様が、撮像者からの明示的な要求によらずに特典を付与する態様の具体例である。
【００７４】
［第２の実施形態］
図８は、第２の実施形態による画像譲渡システム２の機能ブロック図の一例である。図９は、画像記憶部１９０に記憶される情報の一例である。図１０、図１１は、表示部１４０の表示例である。
【００７５】
画像譲渡システム２は、図８に示すように、画像受信部１１０、評価額受信部１１２、抽出部１２０、表示制御部１３０、表示部１４０、受諾情報受付部１５０、譲渡決定部１６０、画像提供部１７０、特典付与部１８０、画像記憶部１９０、及び、譲渡情報記憶部１９２を備える。なお、画像譲渡システム２の少なくとも一部（例えば、画像受信部１１０、表示部１４０、特典付与部１８０）は、スポーツ等の開催場所に設置してもよい。
【００７６】
画像受信部１１０は、画像譲渡システム１の画像受信部１０と同様、観戦者が使用するカメラによって撮像された撮像画像を受信し、各カメラから受信した撮像画像を画像記憶部１９０に記憶する。また、画像受信部１１０は、画像譲渡システム１の画像受信部１０と同様、撮像画像以外の情報として、撮像者ＩＤを各カメラから受信する。また、画像受信部１１０は、画像譲渡システム１の画像受信部１０と同様、撮像画像以外の情報として、撮像位置情報（エリアＩＤ、緯度経度情報等）を各カメラから受信してもよい。
【００７７】
評価額受信部１１２は、撮像者から撮像画像の評価額の提示を受け付ける。具体的には、評価額受信部１１２は、各カメラから撮像者ＩＤとともに撮像画像の評価額を受信する。評価額受信部１１２は、撮像者ＩＤとともに撮像画像の評価額を受信した場合、撮像者ＩＤをキーにして評価額を画像記憶部１９０に記憶する。
【００７８】
第２の実施形態において、撮像画像の評価額とは、当該撮像画像（又は、当該撮像画像を使用する権利）の譲渡に際し譲渡人（撮像者）が望む金額（譲渡可能な金額）である。
【００７９】
画像記憶部１９０は、上述の如く、画像受信部１１０及び評価額受信部１１２が受信した情報を記憶する。例えば、画像記憶部１９０は、図９（ａ）に示すように、撮像日時と撮像者ＩＤと画像ＩＤと評価額と撮像画像とを対応付けて記憶する。また、画像受信部１１０が、撮像位置情報も受信する場合、画像記憶部１９０は、図９（ｂ）に示すように、撮像日時と撮像者ＩＤと画像ＩＤと撮像位置情報と評価額と撮像画像とを対応付けて記憶する。つまり、画像譲渡システム２の画像記憶部１９０は、画像譲渡システム１の画像記憶部９０が記憶する情報に加え、撮像者自身による評価額を記憶している。
【００８０】
抽出部１２０は、画像譲渡システム１の抽出部２０と同様、画像記憶部１９０から撮像画像等を抽出し、画像記憶部１９０から抽出した撮像画像等を表示制御部１３０、譲渡決定部１６０に出力する。例えば、図９（ａ）に示すように、画像記憶部１９０に撮像日時と撮像者ＩＤと画像ＩＤと評価額と撮像画像とが対応付けて記憶されている場合、抽出部１２０は、撮像画像、画像ＩＤ、評価額を表示制御部１３０に出力し、撮像画像、撮像者ＩＤ、画像ＩＤを譲渡決定部１６０に出力する。また、図９（ｂ）に示すように、画像記憶部１９０に撮像日時と撮像者ＩＤと画像ＩＤと撮像位置情報（エリアＩＤ又は緯度経度情報）と評価額と撮像画像とが対応付けて記憶されている場合、抽出部１２０は、撮像画像、画像ＩＤ、評価額、撮像位置情報を表示制御部１３０に出力し、撮像画像、撮像者ＩＤ、画像ＩＤを譲渡決定部１６０に出力する。
【００８１】
表示制御部１３０は、撮像画像の表示部１４０への表示を制御する。例えば、表示制御部１３０は、図１０に示すように、抽出部１２０から取得した撮像画像及び評価額を表示部１４０に並べて表示するよう制御する。また、表示制御部１３０は、撮像位置情報を抽出部１２０から取得した場合には、図１１に示すように、アングル別に並べて表示部１４０に表示するよう制御してもよい。また、表示制御部１３０は、抽出部１２０から撮像日時を取得した場合には、撮像日時順（又は、アングル別の撮像日時順）に表示するように制御してもよい（図１０、図１１参照）。また、表示制御部１３０は、評価額順（又は、アングル別の評価額順）に表示するように制御してもよい。なお、表示制御部１３０は、表示部１４０への表示に際し、表示部１４０の各表示位置と、各表示位置に表示した撮像画像の画像ＩＤとの対応関係を記憶する。また、図１０、図１１は、各撮像画像の上部に評価額を表示させた例であるが、表示制御部１３０は、各撮像画像の下部に評価額を表示するように制御してもよい。
【００８２】
また、表示制御部１３０は、ある撮像画像について受諾情報（後述）を取得した旨の通知を譲渡決定部１６０から取得する。ある撮像画像について受諾情報を取得した旨の通知を取得した表示制御部１３０は、当該撮像画像の人気度を表示するように制御する。例えば、評価額を取得した撮像画像の評価額の右側に通知数（即ち、譲受希望人の人数）を示す数字、記号（例えば、星印）を表示するように制御する。また、表示制御部１３０は、ある撮像画像について譲受希望人名を譲渡決定部１６０から取得した場合についても同様に、当該譲受希望人名を表示するように制御する。
【００８３】
受諾情報受付部１５０は、表示部１４０に表示された撮像画像の評価額に応じる意志を示す受諾情報を受け付ける。具体的には、受諾情報受付部１５０は、撮像画像の譲受を希望する譲受希望人（例えば、メディア各社の関係者）の使用する端末から、受諾情報として、端末ＩＤ（又は、譲受希望人ＩＤ。以下、同様）、所望の撮像画像の画像ＩＤを受信する。受諾情報受付部１５０は、譲受希望人の端末から受信した受諾情報を譲渡決定部１６０に出力する。
【００８４】
譲渡決定部１６０は、所定の売買期間において、受諾情報を受諾情報受付部１５０から取得する。譲渡決定部１６０は、受諾情報受付部１５０から取得した受諾情報に基づいて、撮像画像の譲渡（売買）を決定する。例えば、譲渡決定部１６０は、端末ＩＤ（譲受希望人Ｃの端末ＩＤ）、画像ＩＤ（撮像者Ａが撮像した評価額２５００円の撮像画像の画像ＩＤ）を含む受諾情報、及び、端末ＩＤ（譲受希望人Ｄの端末ＩＤ）、画像ＩＤ（撮像者Ａが撮像した評価額２５００円の撮像画像の画像ＩＤ）を含む受諾情報を所定の売買期間に受諾情報受付部１５０から取得した場合、譲渡人Ａの撮像した撮像画像について、譲渡人Ａから譲受希望人Ｃ及び譲受希望人Ｄへの譲渡（売買）の成立を決定する。換言すれば、譲渡決定部１６０は、所定の売買期間に、撮像者Ａが撮像した撮像画像の評価額２５００円に応じる意志を示した譲受希望人Ｃ及び譲受希望人Ｄへの譲渡（売買）の成立を決定する。つまり、譲渡決定部１６０は、所定の売買期間内に、ある撮像画像の評価額に応じる意志を示した全ての譲受希望人への当該撮像画像の譲渡（売買）の成立を決定する。
【００８５】
譲渡決定部１６０は、所定の売買期間の終了後、撮像画像の譲渡（売買）に関する情報（譲渡情報）を譲渡情報記憶部１９２に記憶する。
【００８６】
また、譲渡決定部１６０は、受諾情報を取得する都度、受諾情報を取得した旨の通知（画像ＩＤを含む）を表示制御部１３０に出力する。これにより、各撮像画像の人気度を表示部１４０にてリアルタイムに確認することができる。また、譲渡決定部１６０は、受諾情報を取得する都度、受諾した譲受希望人名を表示制御部１３０に出力してもよい。譲受希望人名を出力すれば、各撮像画像の入手予定者を表示部１４０にてリアルタイムに確認することができる。なお、譲渡決定部１６０は、端末ＩＤと譲受希望人名の対応テーブルを参照し、受諾情報受付部１５０から受信した端末ＩＤから譲受希望人名を得る。
【００８７】
なお、譲渡決定部１６０は、所定の売買期間内に、ある撮像画像の評価額に応じる意志を示した全ての譲受希望人への当該撮像画像の譲渡の成立を決定するという決定方法に代えて、ある撮像画像の評価額に最も早く応じる意志を示した一人の譲受希望人への当該撮像画像の譲渡の成立を決定するという決定方法を採ってもよい。つまり、譲渡決定部１６０は、最先の一人に限定して、譲渡の成立を決定してもよい。
【００８８】
譲渡情報記憶部１９２は、譲渡情報を記憶する。例えば、譲渡情報記憶部１９２は、図１２に示すように、譲渡情報として、取引番号、撮像者ＩＤ、画像ＩＤ、端末ＩＤ（又は、譲受人ＩＤ）、評価額、撮像画像を対応付けて記憶する。即ち、画像譲渡システム２においては、画像譲渡システム１とは異なり、１枚の撮像画像が複数人に提供され得るため（１枚の撮像画像から複数の譲渡が成立し得るため）、画像譲渡システム２の譲渡情報記憶部１９２が記憶する譲渡情報は、画像譲渡システム１の譲渡情報記憶部９２が記憶する譲渡情報に比べ、取引番号を追加している。また、譲渡情報記憶部１９２は、画像譲渡システム１の譲渡情報記憶部９２と同様、必要に応じて、入金済フラグ、又は、画像送信済フラグを記憶してもよい（（図５（ｂ）（ｃ）参照））。
【００８９】
画像提供部１７０は、画像譲渡システム１の画像提供部７０と同様、ある撮像画像の譲受人に対し、当該撮像画像を提供（送信）する。例えば、譲渡情報記憶部１９２が、図１２に示した譲渡情報を記憶している場合に、画像提供部１７０は、譲受人ＩＤ「Ｙ０３６」によって識別される譲受人から画像ＩＤ「Ｇ０００１」によって識別される撮像画像に係る評価額「４０００」円（若しくは、評価額４０００円に諸費用等を上乗せした金額）を受領した旨（入金）の通知を外部のシステム（例えば、入金を管理するシステム）から受信した場合、譲渡情報記憶部１９２から当該撮像画像を読み出して当該譲受人に送信する（若しくは、当該譲受人による当該撮像画像をダウンロードするための譲渡情報記憶部１９２へアクセスを許可する）。
【００９０】
特典付与部１８０は、画像譲渡システム１の特典付与部８０と同様、譲渡の成立が決定した撮像画像の譲渡人に特典（報酬）を付与する。特典付与の時間的条件は、第１の実施形態と同様である。
【００９１】
図１３は、画像譲渡システム２の動作の一例を示すフローチャートである。具体的には、図１３のフローチャートは、試合等の終了後に、順次、シーン毎に撮像画像を抽出する態様における、像画像の取得から譲渡情報の記憶迄の処理の流れを表している。なお、撮像画像の提供、特典の付与に関する処理の流れは、画像譲渡システム１と同様であるため説明を省略する。なお、図１３のフローチャートのステップ１１４、Ｓ１１６、Ｓ１１８、Ｓ１２２、Ｓ１２８は、図６のフローチャートのステップ１４、Ｓ１６、Ｓ１８、Ｓ２２、Ｓ２８と同様であるため、説明の一部又は全部を省略する。
【００９２】
図１３において、画像受信部１１０は撮像画像等を受信し（ステップＳ１１０）、評価額受信部１１２は評価額等を受信し（ステップＳ１１０）、画像記憶部１９０に記憶する（ステップＳ１１２）。画像譲渡システム２は、試合等が終了したか否かを判断する（ステップＳ１１４）。試合等が終了していない場合（ステップＳ１１４：Ｎｏ）、ステップＳ１１０に戻る。
【００９３】
試合等が終了した場合（ステップＳ１１４：Ｙｅｓ）、抽出部１２０は、画像記憶部１９０に記憶されている撮像画像の中から、あるシーンに撮像画像を抽出する（ステップＳ１１６）。表示制御部１３０は、抽出部１２０が纏めて抽出したあるシーンの撮像画像を表示部１４０に並べて表示するよう制御する（ステップＳ１１８）。受諾情報受付部１５０は、表示部１４０に表示されたあるシーンの撮像画像の受諾情報を受信したか否かを判断する（ステップＳ１２０）。
【００９４】
ある撮像画像の受諾情報を受信した場合（ステップＳ１２０：Ｙｅｓ）、受諾情報受付部１５０は、当該撮像画像の受諾情報を譲渡決定部１６０に出力する。当該撮像画像の受諾情報を取得した譲渡決定部１６０は、当該撮像画像に関する譲渡情報を譲渡情報記憶部１９２に記憶し（ステップＳ１２２）、受諾情報を取得した旨の通知（又は、当該通知と譲受希望人名）を表示制御部１３０に出力する。受諾情報を取得した旨の通知（又は、当該通知と譲受希望人名）を取得した表示制御部１３０は、当該撮像画像の人気度（又は、人気度と譲受希望人名）を表示するように制御する（ステップＳ１２４）。
【００９５】
ある撮像画像の受諾情報を受信していない場合（ステップＳ１２０：Ｎｏ）、ステップＳ１２２、Ｓ１２４を飛ばしてＳ１２６に進む。
【００９６】
ステップＳ１２４又はステップＳ１２０（Ｎｏ）に続いて、譲渡決定部１６０は、所定の売買期間が終了したか否かを判断する（ステップＳ１２６）。所定の売買期間が終了していない場合（ステップＳ１２６：Ｎｏ）、ステップＳ１２０に戻る。
【００９７】
一方、所定の売買期間が終了した場合（ステップＳ１２６：Ｙｅｓ）、抽出部１２０は、画像記憶部１９０から全シーンの撮像画像、即ち、全部の撮像画像を抽出したか否かを判断する（ステップＳ１２８）。全シーンの撮像画像を抽出していない場合（ステップＳ１２８：Ｎｏ）、ステップＳ１１６に戻る。全シーンの撮像画像を抽出した場合（ステップＳ１２８：Ｙｅｓ）、図１３のフローチャートは終了する。
【００９８】
以上、第１の実施形態による画像譲渡システム１、第２の実施形態による画像譲渡システム２によれば、マスメディア側は、多数の観戦者によって撮像された多数の静止画像のなかから媒体に掲載に最適な静止画像を見つけることができる。また、観戦者は、カメラマンとして試合に参加できるなど新たな楽しみを得ることができる。また、主催者サイド（例えば、チーム、球場）は、上記新たな楽しみの提供によって集客を伸ばすことができる。
【００９９】
なお、画像譲渡システム１の評価額受付部５０は、画像譲渡システム１を構成する電子機器以外の機器端末（譲受希望人の使用する端末）から評価額等を受信すると説明したが、画像譲渡システム１を構成する電子機器が評価額受付部５０を備え、当該電子機器（評価額受付部５０）が譲受希望人による評価額等の入力を直接受け付けるようにしてもよい。また、画像譲渡システム２の受諾情報受付部１５０は、画像譲渡システム２を構成する電子機器以外の機器端末（譲受希望人の使用する端末）から受諾情報を受信すると説明したが、画像譲渡システム２を構成する電子機器が受諾情報受付部１５０を備え、当該電子機器（受諾情報受付部１５０）が譲受希望人による受諾情報の入力を直接受け付けるようにしてもよい。
【０１００】
また、図６（図１３も同様）のフローチャートでは、試合等の終了後に、表示部４０（１４０）に各シーンの撮像画像を表示したが、試合途中（各シーンの終了後の区切りがよい時間）に、表示部４０（１４０）に各シーンの撮像画像を表示してオークション（売買）を開始してもよい。例えば、野球の場合には、各イニング（若しくは指定されたイニング）の終了後に、未表示の撮像画像を大型スクリーン（バックスクリーン）に表示するようにしてもよい。なお、試合途中に撮像画像を表示する態様では、試合終了の判断（図６のステップＳ１４、図１３のステップＳ１１４）は不要である。
【０１０１】
［適用例］
以下、画像譲渡システム１の適用例として、サッカーの試合が可能な競技場Ｓに画像譲渡システム１を適用した場合について説明する。図１４は、チームＺの本拠地である競技場Ｓに適用した画像譲渡システム１の概念図である。競技場Ｓには、通信ゲート装置、サーバ、ストレージ、表示装置、メディア担当者用端末を設置する。
【０１０２】
（通信ゲート装置）
通信ゲート装置は、例えば、図１４（ａ）に示すように、競技場Ｓの出入口に設置する。通信ゲート装置は、観戦者持参のカメラ、又は、チームＺ貸与のカメラと非接触通信する。通信ゲート装置は、エリアに関する情報（自席の属するエリアＩＤ、緯度経度情報−エリアＩＤ対応テーブル）を送信する。例えば、通信ゲート装置は、カメラ内に保持された座席情報に応じたエリアＩＤを送信する。カメラ内に座席情報を保持されていない場合には、通信ゲート装置の近傍に配属された球場係員が観戦者の座席を確認し、座席に応じたエリアＩＤを送信するように通信ゲート装置を制御してもよい。
【０１０３】
また、通信ゲート装置は、ストレージにアクセスし、撮像画像を譲渡して得た特典（例えば、電子マネー、クーポン）をカメラに送信する。つまり、通信ゲート装置は、図１４（ｂ）に示すように、特典付与部８０の機能を有する。
【０１０４】
（サーバ）
サーバは、例えば、図１４（ａ）に示すように、競技場Ｓの管理室に設置する。サーバは、カメラ、ストレージ、表示装置、メディア担当者用端末、外部のシステム（例えば、入金を管理するシステム）と通信する。サーバは、図１４（ｂ）に示すように、画像受信部１０、抽出部２０、表示制御部３０、譲渡決定部６０、画像提供部７０の機能を有する。
【０１０５】
（ストレージ）
ストレージは、例えば、図１４（ａ）に示すように、競技場Ｓの管理室に設置する。ストレージは、サーバ、通信ゲート装置からアクセスされる。ストレージは、図１４（ｂ）に示すように、画像記憶部９０、譲渡情報記憶部９２の機能を有する。
【０１０６】
（表示装置）
表示装置は、図１４（ａ）に示すように、競技場Ｓの大型スクリーンである。表示装置は、サーバによって制御される。表示装置は、図１４（ｂ）に示すように、表示部４０の機能を有する。
【０１０７】
（メディア担当者用端末）
メディア担当者用端末は、図１４（ａ）に示すように、競技場Ｓ内のメディア各社の関係者席に設置する。メディア担当者用端末は、サーバと通信する。メディア担当者用端末は、図１４（ｂ）に示すように、評価額受付部５０の機能を有する（即ち、画像譲渡システム１を構成する電子機器自体が評価額受付部５０を備える態様である）。
【０１０８】
つまり、図１４によれば、スポーツ等の開催場所に設置された装置（表示装置）が、第１の実施形態の画像譲渡システム１の表示部４０の機能を有し、当該開催場所に設置された装置（メディア担当者用端末）が、第１の実施形態の画像譲渡システム１の評価額受付部５０の機能を有し、また、当該開催場所に設置された装置（通信ゲート装置）が、第１の実施形態の画像譲渡システム１の特典付与部８０の機能を有する。従って、例えば、各メディアの担当者は、現地にて、表示装置に表示される撮像画像を見つつ専用端末を操作して所望の撮像画像を入手し、一方の撮像画像を譲渡した撮像者は、現地にて、特典を得ることができる。
【０１０９】
なお、メディア担当者用端末に、表示装置と同様の表示内容を表示するようにしてもよい。また、通信ゲート装置以外（例えば、コンビニエンスストアの端末）から、撮像画像を譲渡して得た特典を撮像者側に付与してもよい。
【０１１０】
また、図１４は、画像譲渡システム１の適用例であるが、画像譲渡システム２を適用する場合も同様である。例えば、スポーツ等の開催場所に存在する表示装置が、第２の実施形態の画像譲渡システム２の表示部１４０の機能を有し、当該開催場所に設置した装置（メディア担当者用端末）が、第２の実施形態の画像譲渡システム２の受諾情報受付部１５０の機能を有し、また、当該開催場所に設置した装置（通信ゲート装置）が、第２の実施形態の画像譲渡システム２の特典付与部１８０の機能を有してもよい。
【０１１１】
また、図１４は、サッカーの試合が可能な競技場Ｓへの適用例であるが、他の開催場所に画像譲渡システム１、画像譲渡システム２を適用する場合も同様である。
【０１１２】
なお、画像譲渡システム１及び画像譲渡システム２は、図１４に示したように、現地の装置（表示装置、メディア担当者用端末、通信ゲート装置）を利用して構築してもよいが、インターネットを用いて構築してもよい。つまり、インターネットを利用して、画像譲渡システム１による撮像画像のオークション、及び、画像譲渡システム２の撮像画像の売買を構築してもよい。
【０１１３】
例えば、インターネット上のサーバが、撮像画像を受信する画像受信部１０と、メディア担当者のパーソナルコンピュータの表示部４０への撮像画像の表示を制御する表示制御部３０と、上記パーソナルコンピュータから撮像画像の評価額を受信する評価額受付部（受信部）５０と、評価額に応じて撮像画像の譲渡の成否を決定する譲渡決定部６０とを備え、画像譲渡システム１による撮像画像のオークションを実現してもよい。
【０１１４】
また、インターネット上のサーバが、撮像画像を受信する画像受信部１１０と、撮像者による撮像画像の評価額を受信する評価額受信部１１２と、メディア担当者のパーソナルコンピュータの表示部１４０への撮像画像及び評価額の表示を制御する表示制御部１３０と、上記パーソナルコンピュータから受諾情報（メディア担当者による評価額の受諾の意志）を受信する受諾情報受信部（受信部）１５０と、上記受諾情報に応じて撮像画像の譲渡の成否を決定する譲渡決定部１６０とを備え、画像譲渡システム２の撮像画像の売買を実現してもよい。
【０１１５】
なお、インターネットを利用して実現する、画像譲渡システム１による撮像画像のオークション、及び、画像譲渡システム２の撮像画像の売買の場合、譲渡の成立前は、メディア担当者のパーソナルコンピューに実際の撮像画像ではなく縮小画像（サムネイル）を表示させるか、実際の撮像画像をローカルディスクに保存できないような形式にて表示させるとよい。
【０１１６】
なお、第１、第２の実施形態において、撮像画像の譲受人（譲受希望人）はメディア担当者であると説明したが、メディア担当者以外を譲受人（譲受希望人）とすることも可能である。例えば、インターネットを利用して、画像譲渡システム１による撮像画像のオークション、画像譲渡システム２の撮像画像の売買を実現すれば、多くの者を譲受希望人としてオークション、売買に参加させることができる。
【０１１７】
なお、本発明の各実施形態による画像譲渡システム１、２の各処理を実行するためのプログラムをコンピュータ読み取り可能な記録媒体に記録して、当該記録媒体に記録されたプログラムをコンピュータシステムに読み込ませ、実行することにより、本発明の各実施形態による画像譲渡システム１、２の各処理に係る上述した種々の処理を行ってもよい。なお、ここでいう「コンピュータシステム」とは、ＯＳや周辺機器等のハードウェアを含むものであってもよい。また、「コンピュータシステム」は、ＷＷＷシステムを利用している場合であれば、ホームページ提供環境（あるいは表示環境）も含むものとする。また、「コンピュータ読み取り可能な記録媒体」とは、フロッピー（登録商標）ディスク、光磁気ディスク、ＳＤカード、フラッシュメモリ等の書き込み可能な不揮発性メモリ、ＣＤ−ＲＯＭ等の可搬媒体、コンピュータシステムに内蔵されるハードディスク等の記憶装置のことをいう。
【０１１８】
さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（例えばＤＲＡＭ（Dynamic Random Access Memory））のように、一定時間プログラムを保持しているものも含むものとする。また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【０１１９】
以上、この発明の実施形態について図面を参照して詳述してきたが、具体的な構成はこの実施形態に限られるものではなく、この発明の要旨を逸脱しない範囲の設計等も含まれる。
【符号の説明】
【０１２０】
１、２…画像譲渡システム  １０、１１０…画像受信部  １１２…（評価額受信部）評価額受付部  ２０、１２０…抽出部  ３０、１３０…表示制御部  ４０、１４０…表示部  ５０…評価額受付部  １５０…受諾情報受付部  ６０、１６０…譲渡決定部  ７０、１７０…画像提供部  ８０、１８０…特典付与部  ９０、１９０…画像記憶部  ９２、１９２…譲渡情報記憶部
【図１】
2013235325.tif 000003
【図２】
2013235325.tif 000004
【図３】
2013235325.tif 000005
【図４】
2013235325.tif 000006
【図５】
2013235325.tif 000007
【図６】
2013235325.tif 000008
【図７】
2013235325.tif 000009
【図８】
2013235325.tif 000010
【図９】
2013235325.tif 000011
【図１０】
2013235325.tif 000012
【図１１】
2013235325.tif 000013
【図１２】
2013235325.tif 000014
【図１３】
2013235325.tif 000015
【図１４】
2013235325.tif 000016